(57)【要約】      （修正有）【課題】非接触通信を簡単に確認できる携帯端末機用ケースを提供する。【解決手段】携帯端末機用ケース１は、収納した携帯端末機の電子決済のための通信用ＩＣチップまたは通信用ＩＣカードの通信信号を検出する通信信号の検出をもとに発光信号を生成する発光信号生成部２２と、発光信号を受けて発光する発光部１５と、前記発光部の発光を透過するカバー部とを備え、通信用ＩＣチップまたは通信用ＩＣカードが通信する度に、その通信信号を検出して、発光部１５が点滅発光する。【選択図】図６
0003182722.tif 000002
【実用新案登録請求の範囲】
【請求項１】
携帯端末機を収納するための携帯端末機用ケースであって、
収納した携帯端末機の非接触通信機構により送受信された通信信号を検出する信号検出部と、
前記通信信号の検出をもとに発光信号を生成する発光信号生成部と、
前記携帯端末機用ケースを構成する１つの部品の正面側の周囲に設けた立ち上がり部に設けられ、前記発光信号を受信して発光する複数の発光部と、
前記発光部の上部または側面部に設けられ、該発光部の発光を透過するカバー部とを備える
ことを特徴とする携帯端末機用ケース。
【請求項２】
前記部品の背面にＩＣカードを収納するスロット部を備え、
前記信号検出部は、収納した携帯端末機の非接触通信機構の代わりに前記スロット部に収納したＩＣカードの非接触通信機構により送受信された通信信号を検出する
ことを特徴とする請求項１に記載の携帯端末機用ケース。
【請求項３】
前記カバー部は、前記発光部各々の上部に設けられる
ことを特徴とする請求項１または請求項２に記載の携帯端末機用ケース。
【請求項４】
前記カバー部は、前記部品の各辺の前記複数の発光部の上部および側部を覆うように設けられる
ことを特徴とする請求項１または請求項２に記載の携帯端末機用ケース。
【請求項５】
前記発光信号生成部が生成する発光信号のパターンを決定する発光パターン決定部を備える
ことを特徴とする請求項１〜請求項４のいずれか一項に記載の携帯端末機用ケース。
【考案の詳細な説明】
【技術分野】
【０００１】
本発明は、携帯端末を収納する携帯端末機用ケースに関する。
【背景技術】
【０００２】
スマートフォンと呼ばれる携帯端末機のなかには、電子決済サービスを提供するために、非接触型ＩＣカードとの通信を処理するためのＩＣチップを搭載する端末機がある。
【０００３】
非接触型ＩＣカードとの通信技術は、リーダ・ライタからキャリアを送信して電磁誘導によりＩＣカードに電力を供給し、キャリアの変調によりリーダ・ライタとＩＣカード間で通信を行う技術であり、そのような処理を実現する機構として、例えば、ＦｅｌｉＣａ（ソニー株式会社の登録商標）チップが知られている。
【０００４】
電子決済用に非接触型ＩＣカードとの通信機構を有しない携帯端末機のユーザは、電子決済サービスを享受するため、上記の通信が可能な非接触型ＩＣカードを別に携帯している場合が多い。
【０００５】
また、多くのユーザは、携帯の利便性や携帯端末機本体の保護のために、携帯端末機を専用ケースに収納して携帯している。従来、端末機の操作性やディスプレイの視認性を妨げない工夫を凝らした様々な携帯端末機用ケースが提供されている。
【先行技術文献】
【特許文献】
【０００６】
【特許文献１】実用新案登録第３１７７７９８号公報
【考案の概要】
【考案が解決しようとする課題】
【０００７】
携帯端末機に搭載されている非接触型ＩＣカードとの通信機構（以下、「通信用ＩＣチップ」とする）は、主に電子決済サービスに利用されている。
【０００８】
通信用ＩＣチップが搭載された携帯端末機のユーザは、電子決済を行う場合に、電子決済が行われたのかどうかを携帯端末機のディスプレイに表示された決済情報で確認していた。しかし、決済時にディスプレイに表示された情報を見て確認することが煩わしい状況や確認がしにくい状況になる場合もある。また、通信用ＩＣチップが未搭載の携帯端末機のユーザは、電子決済用の非接触型ＩＣカード（以下、「通信用ＩＣカード」とする）を用いるが、電子決済が行われたのかを、店舗側の決済装置に表示された情報で確認する他はなかった。
【０００９】
そのため、通信用ＩＣチップや通信用ＩＣカードを利用するユーザは、電子決済が行われたのか、すなわち、通信用ＩＣチップや通信用ＩＣカードと店舗等の決済装置との間で通信があったのかを、より簡単かつ確実に知りたいという要望を持っている。
【００１０】
本考案の目的は、通信用ＩＣチップや通信用ＩＣカードでの通信を、ユーザに簡単かつ確実に通知できる機構を備えた携帯端末機用ケースを提供することである。
【課題を解決するための手段】
【００１１】
本考案に係る携帯端末機用ケースは、携帯端末機を収納するための携帯端末機用ケースであって、１）収納した携帯端末機の非接触通信機構により送受信された通信信号を検出する信号検出部と、２）前記通信信号の検出をもとに発光信号を生成する発光信号生成部と、３）前記携帯端末機用ケースを構成する１つの部品の正面側の周囲に設けた立ち上がり部に設けられ、前記発光信号を受信して発光する複数の発光部と、４）前記発光部の上部または側面部に設けられ、該発光部の発光を透過するカバー部とを備える。
【００１２】
さらに前記携帯端末機用ケースは、５）前記部品の背面にＩＣカードを収納するスロット部を備え、前記信号検出部は、収納した携帯端末機の非接触通信機構の代わりに前記スロット部に収納したＩＣカードの非接触通信機構により送受信された通信信号を検出するものである。
【考案の効果】
【００１３】
本考案に係る携帯端末機用ケースによれば、通信用ＩＣチップや通信用ＩＣカードが非接触型の通信をしたことを、発光によって通知する。よって、ユーザは電子決済があったことを簡単に確認することができる。
【００１４】
さらに、本考案に係る携帯端末機用ケースによれば、携帯端末機と通信用ＩＣカードとを１つにまとめて収納する。よって、ユーザは、携帯端末機と通信用ＩＣカードとをより便利に携行することができる。
【００１５】
さらに、本考案に係る携帯端末機用ケースによれば、携帯端末機の背面に通信用ＩＣカードを収納する。よって、ユーザは、携帯端末機用ケースに通信用ＩＣチップを備えていない携帯端末機を収納し、背面側に通信用ＩＣカードを収納することによって、通信用ＩＣチップを備えた携帯端末機と同じような操作、すなわち、携帯端末機の背面側を通信相手である決済装置に近づけるという簡単な操作によって、あたかも通信用ＩＣチップを備えた携帯端末機を使用するようにして電子決済サービスを利用できる。
【図面の簡単な説明】
【００１６】
【図１】本考案に係る携帯端末機用ケース１の一実施例における外観例を示す図である。
【図２】携帯端末機用ケース１の別の実施例における外観例を示す図である。
【図３】携帯端末機用ケース１の正面（操作面）の外観例および切断線での端面例を示す図である。
【図４】携帯端末機用ケース１を背面側の外観例および切断線での端面例を示す図である。
【図５】携帯端末機用ケース１を背面側の外観例および切断線での端面例を示す図である。
【図６】制御機構２の例を示す図である。
【考案を実施するための形態】
【００１７】
以下、本考案に係る携帯端末機用ケースの一実施形態例について説明する。
【００１８】
図１は、本考案に係る携帯端末機用ケース１の一実施例における外観例を示す図である。
【００１９】
携帯端末機用ケース１は、相互の嵌め込みによって固定が可能な２つの部品１１、１２で構成されている。携帯端末機用ケース１は、部品１１、１２それぞれの正面側に設けた周囲の立ち上がり部１１ｒ、１２ｒにより底部が携帯端末機の形状に合わせた皿状をなしている。
【００２０】
部品１２の周囲に設けた立ち上がり部１２ｒの左右の２辺それぞれには一列をなす複数の開口部１３が設けられている。各開口部１３は、後述する発光部１５の上部に位置するように設けられ、それぞれにカバー１４が嵌め込まれている。
【００２１】
図２は、携帯端末機用ケース１の別の実施例における外観例を示す図である。
【００２２】
別の実施例として、携帯端末機用ケース１は、立ち上がり部１２ｒに設けた複数の発光部１５各々に対応する複数の開口部１３の代わりに、立ち上がり部１２ｒの各辺に設けた一列の発光部１５に対して１つの開口部１３’を備えている。開口部１３’には、カバー１４’が嵌め込まれている。
【００２３】
なお、携帯端末機用ケース１は、図１および図２において図示しないが、収納した携帯端末機のボタン、カメラレンズ等の利用を妨げないように、携帯端末機用ケース１の平面、底面、左右の側面に、携帯端末機のボタン、カメラレンズ等に適宜対応する開口部を設けている。
【００２４】
図３は、携帯端末機用ケース１の正面（操作面）の外観例および切断線での端面例を示す図である。
【００２５】
図３（Ａ）に示すように、携帯端末機用ケース１の正面側には、携帯端末機のディスプレイ側が向いている。携帯端末機用ケース１に収納した携帯端末機のディスプレイの外周に、部品１２のカバー１４が位置することになり、ユーザは、携帯端末機のディスプレイを見ながら、カバー１４を透過する発光部１５の発光を確認することができる。
【００２６】
図３（Ｂ）は、携帯端末機用ケース１の図１に示す実施例の場合に、図３（Ａ）に示すＡ−Ａ’線の切断部の端面を示す。部品１２の立ち上がり部１２ｒの左右の各辺には、複数の発光部１５が設けられ、各発光部１５の上部に位置する各開口部１３にカバー１４が嵌め込まれている。
【００２７】
図３（Ｃ）は、携帯端末機用ケース１の図２に示す実施例の場合に、図３（Ａ）に示すＡ−Ａ’線の切断部に該当する切断部の端面を示す。部品１２の立ち上がり部１２ｒの左右の各辺に設けられた複数の発光部１５の上部および側面を覆う位置に開口部１３’が設けられ、開口部１３’にカバー１４’が嵌め込まれている。
【００２８】
発光部１５は、発光素子で実施することができ、図１および図２に示す実施例ではＬＥＤで実施している。
【００２９】
図３（Ｂ）に示すカバー１４および図３（Ｃ）に示すカバー１４’は、透明または半透明の材質のレンズ形状で実施され、発光部１５が発光する光を透過させ、発散させる。カバー１４、１４’によって、ユーザは、携帯端末機用ケース１の正面または側面から発光部１５が発光したことを確認することができる。
【００３０】
図４および図５は、携帯端末機用ケース１を背面側の外観例および切断線での端面例を示す図である。
【００３１】
図４（Ａ）は、通信用ＩＣチップを備えていない携帯端末機種に対応した携帯端末機用ケース１の背面側の外観例を表し、図４（Ｂ）は、Ｂ―Ｂ’線の断面における端面を示す。
【００３２】
携帯端末機用ケース１は、部品１２の背面側に、通信用ＩＣカードを収納するためのスロット部１６を有する。スロット部１６の中央部には、通信用ＩＣカードを取り出すための開口部１７が設けられている。また、スロット部１６は、通信用ＩＣカードに適応する中空部を有し、収納した通信用ＩＣカードの通信を妨げない厚みである。通信用ＩＣカードはスロット部１６に収納された状態のままで通信が可能である。
【００３３】
図５（Ａ）は、通信用ＩＣチップを備える携帯端末機種に対応した携帯端末機用ケース１の背面側の外観例を表し、図５（Ｂ）は、Ｃ―Ｃ’線の切断面における端面例を表している。図５に示す実施例の場合に、携帯端末機用ケース１は、部品１２の背面側にスロット部を備えている必要はなく、部品１２の背面側に携帯端末機が備える通信用ＩＣチップの位置に対応した開口部１８が設けられている。通信用ＩＣチップは開口部１８を通じて外部装置等と通信が可能である。
【００３４】
なお、図４および図５は、携帯端末機用ケース１の図１に示す実施例の場合の背面例を説明しているが、図２に示す実施例の場合も同様である。
【００３５】
携帯端末機用ケース１の部品１２は、発光制御をする制御機構２を備えている。
【００３６】
図６は、制御機構２の例を示す図である。
【００３７】
図６（Ａ）は、図３（Ａ）に示すＡ―Ａ’線の切断面における端面を示す。部品１２の制御機構２は、演算回路および記憶回路を持つ制御基板として実施され、部品１２の底部の内側に設けられる。図示するように、制御機構２は保護シート１９で覆われていることが好ましい。
【００３８】
図６（Ｂ）は、制御機構２の機能構成例を示す図である。制御機構２は、機能構成として、信号検出部２１および発光信号生成部２２を備え、信号線により発光部１５と接続している。さらに、制御機構２は、任意の構成として、発光パターン決定部２３を備えていてもよい。
【００３９】
信号検出部２１は、携帯端末機の通信用ＩＣチップまたは通信用ＩＣカードが行った非接触型通信の通信信号を検出する。
【００４０】
発光信号生成部２２は、信号検出部２１による通信信号の検出時に、発光部１５に対する発光信号を生成する。例えば、発光信号生成部２２は、複数の発光部１５のそれぞれを同時または時間差で１ないし複数回点滅発光させるように発光信号を出力する。発光信号を受けて各発光部１５が発光する。
【００４１】
発光パターン決定部２３は、予め複数の発光信号の発信パターンを保持しておき、通信信号が検出された場合に、いずれかの発信パターンを示す値（パターン値）を出力する。発光パターン決定部２３は、発信パターン値をランダムに出力してもよい。
【００４２】
制御機構２は、信号検出部２１および発光信号生成部２２を備える構成の場合、以下のように動作する。
【００４３】
（１）信号検出部２１が、通信用ＩＣチップまたは通信用ＩＣカードでの通信による通信信号を検出すると、検出信号を出力する。
【００４４】
（２）発光信号生成部２２が、信号検出部２１の検出信号を受けて、予め設定されたパターンに基づいて発光信号を出力する。
【００４５】
（３）発光部１５が、それぞれ、発光信号を受けて発光する。
【００４６】
制御機構２は、信号検出部２１、発光信号生成部２２、および発光パターン決定部２３を備える場合、以下のように動作する。
【００４７】
（１）信号検出部２１が、通信用ＩＣチップまたは通信用ＩＣカードでの通信による通信信号を検出すると、検出信号を出力する。
【００４８】
（２）発光パターン決定部２３が、信号検出部２１の検出信号を受けて、パターン値を出力する。
【００４９】
（３）発光信号生成部２２が、発光パターン決定部２３のパターン値を受けて、パターン値が示す発光パターンに基づいて発光信号を出力する。
【００５０】
（４）発光部１５それぞれが、発光信号を受けて発光する。
【００５１】
以上説明したように、携帯端末機用ケース１によれば、通信用ＩＣチップまたは通信用ＩＣカードが非接触型の通信をした場合に、通信信号を検出する度に発光部１５が発光をするため、ユーザは、携帯端末機用ケース１の正面、正面および側面からの点滅発光によって、通信があったことを簡単に確認することができる。
【符号の説明】
【００５２】
１  携帯端末機用ケース
１１、１２  部品
１３、１３’  開口部
１４、１４’  カバー
１５  発光部
１６  スロット部
１７、１８  開口部
１９  保護シート
２  制御機構
２１  信号検出部
２２  発光信号生成部
２３  発光パターン決定部
【図１】
0003182722.tif 000003
【図２】
0003182722.tif 000004
【図３】
0003182722.tif 000005
【図４】
0003182722.tif 000006
【図５】
0003182722.tif 000007
【図６】
0003182722.tif 000008
【手続補正書】
【提出日】平成25年1月31日(2013.1.31)
【手続補正１】
【補正対象書類名】実用新案登録請求の範囲
【補正対象項目名】全文
【補正方法】変更
【補正の内容】
【実用新案登録請求の範囲】
【請求項１】
携帯端末機を収納するための携帯端末機用ケースであって、
収納した携帯端末機の非接触通信機構により送受信された通信信号を検出する信号検出部と、
前記通信信号の検出をもとに発光信号を生成する発光信号生成部と、
前記携帯端末機用ケースを構成する１つの部品の正面側の周囲に設けた立ち上がり部に設けられ、前記発光信号を受信して発光する複数の発光部と、
前記発光部の上部または側面部に設けられ、該発光部の発光を透過するカバー部とを備える
ことを特徴とする携帯端末機用ケース。
【請求項２】
前記１つの部品の背面にＩＣカードを収納するスロット部を備え、
前記信号検出部は、収納した携帯端末機の非接触通信機構の代わりに前記スロット部に収納したＩＣカードの非接触通信機構により送受信された通信信号を検出する
ことを特徴とする請求項１に記載の携帯端末機用ケース。
【請求項３】
前記カバー部は、前記発光部各々の上部に設けられる
ことを特徴とする請求項１または請求項２に記載の携帯端末機用ケース。
【請求項４】
前記カバー部は、前記１つの部品の各辺の前記複数の発光部の上部および側部を覆うように設けられる
ことを特徴とする請求項１または請求項２に記載の携帯端末機用ケース。
【請求項５】
前記発光信号生成部が生成する発光信号のパターンを決定する発光パターン決定部を備える
ことを特徴とする請求項１〜請求項４のいずれか一項に記載の携帯端末機用ケース。
【手続補正２】
【補正対象書類名】明細書
【補正対象項目名】００１２
【補正方法】変更
【補正の内容】
【００１２】
さらに前記携帯端末機用ケースは、５）前記１つの部品の背面にＩＣカードを収納するスロット部を備え、前記信号検出部は、収納した携帯端末機の非接触通信機構の代わりに前記スロット部に収納したＩＣカードの非接触通信機構により送受信された通信信号を検出するものである。